(57)【要約】      （修正有）【課題】光束を効率良く集光させて書き込みの信頼性を向上し、コンパクトでしかも薄型化を図る。【解決手段】記録媒体と対向する対向面と、記録磁界を発生させる主磁極、補助磁極及び磁気コイルを有する記録素子と、一端側から導入された光束を導入方向とは異なる方向で他端側に反射させる反射面と、前記一端側から前記他端側に向かう方向に直交する断面積が漸次減少するように絞り成形され、反射された前記光束を集光させながら他端側に向けて伝播させてスポット光を生成する光束集光部とを有するコアと、前記他端側を前記磁気記録媒体側に向けた状態で前記記録素子に隣接して固定されたスポット光生成素子と、前記一端側から前記コア内に前記光束を導入させる光束導入手段とを備え、前記スポット光生成素子の前記一端側から前記他端側を結ぶ線が、スライダの対向面に対して斜めであることを特徴とする記録ヘッドを提供する。【選択図】図４
2009140538.tif 000002
【特許請求の範囲】
【請求項１】
光束を集光して生成したスポット光により一定方向に回転する磁気記録媒体を加熱すると共に、磁気記録媒体に対して垂直方向の記録磁界を与えることで磁化反転を生じさせ、情報を記録させる記録ヘッドであって、
前記磁気記録媒体の表面に対向配置され、該記録媒体と対向する対向面と、該対向面と接する複数の側面を有し、該複数の側面の内一つの面である先端面を有するスライダと、
前記記録磁界を発生させる主磁極、補助磁極及び磁気コイルを有する記録素子と、
一端側から導入された前記光束を導入方向とは異なる方向で他端側に反射させる反射面と、前記一端側から前記他端側に向かう方向に直交する断面積が漸次減少するように絞り成形され、反射された前記光束を集光させながら他端側に向けて伝播させて前記スポット光を生成すると共に、該スポット光を他端側から外部に向けて発する光束集光部とを有するコアと、該コアよりも屈折率が低い材料で形成され、コアの他端側を外部に露出させた状態でコアの側面に密着してコアを内部に閉じ込めるクラッドとを有し、前記他端側を前記磁気記録媒体側に向けた状態で前記記録素子に隣接して固定され、前記スライダの先端部に固定されたスポット光生成素子と、
前記スライダに対して平行に配置された状態で該スライダに固定され、前記一端側から前記コア内に前記光束を導入させる光束導入手段とを備え、
前記スポット光生成素子の前記一端側から前記他端側を結ぶ線が、前記スライダの対向面に対して斜めであることを特徴とする記録ヘッド。
【請求項２】
前記コアの断面と前記対向面との成す角度が漸次変化することを特徴とする請求項１に記載の記録ヘッド。
【請求項３】
前記光束集光部が前記主磁極の近傍に配置されることを特徴とする請求項１に記載の記録ヘッド。
【請求項４】
前記記録素子が前記先端面上に形成されることを特徴とする請求項１に記載の記録ヘッド。
【請求項５】
前記記録素子が前記クラッドに埋め込まれる、あるいは前記クラッドの外側面上に形成されることを特徴とする請求項１に記載の記録ヘッド。
【請求項６】
前記記録素子が前記スライダの前記対向面と接する前記先端面以外の側面に形成されていることを特徴とする請求項１に記載の記録ヘッド。
【請求項７】
前記主磁極は前記スポット光生成素子の近傍に形成されていて、前記補助磁極及び磁気コイルが前記スライダの前記対向面上に形成されていることを特徴とする請求項１に記載の記録ヘッド。
【請求項８】
前記スポット光生成素子あるいは前記記録素子の近傍に配置され、前記スライダが前記磁気記録媒体から漏れ出た磁界の大きさに応じた電気信号を出力する再生素子を備えることを特徴とする請求項１から７のいずれか１項に記載の記録ヘッド。
【請求項９】
請求項１から８のいずれか１項に記載の記録ヘッドと、
前記磁気記録媒体の表面に平行な方向に移動可能とされ、該磁気記録媒体の表面に平行
で且つ互いに直交する２軸回りに回動自在な状態で、前記記録ヘッドを先端側で支持する
ビームと、
前記光束導入手段に対して前記光束を入射させる光源と、
前記ビームの基端側を支持すると共に、該ビームを前記磁気記録媒体の表面に平行な方
向に向けて移動させるアクチュエータと、
前記磁気記録媒体を前記一定方向に回転させる回転駆動部と、
前記記録素子及び前記光源の作動を制御する制御部とを備えていることを特徴とする情
報記録再生装置。
【発明の詳細な説明】
【技術分野】
【０００１】
本発明は、光を集光したスポット光を利用して磁気記録媒体に各種の情報を記録する記
録ヘッド及び該記録ヘッドを有する情報記録再生装置に関するものである。
【背景技術】
【０００２】
近年、コンピュータ機器におけるハードディスク等の容量増加に伴い、単一記録面内における情報の記録密度が増加している。例えば、磁気ディスクの単位面積当たりの記録容量を多くするためには、面記録密度を高くする必要がある。ところが、記録密度が高くなるにつれて、記録媒体上で１ビット当たりの占める記録面積が小さくなっている。このビットサイズが小さくなると、１ビットの情報が持つエネルギーが、室温の熱エネルギーに近くなり、記録した情報が熱揺らぎ等のために反転したり、消えてしまったりする等の熱減磁の問題が生じてしまう。
【０００３】
一般的に用いられてきた面内記録方式では、磁化の方向が記録媒体の面内方向に向くように磁気を記録する方式であるが、この方式では上述した熱減磁による記録情報の消失等が起こり易い。そこで、このような不具合を解消するために、記録媒体に対して垂直な方向に磁化信号を記録する垂直記録方式に移行しつつある。この方式は、記録媒体に対して、単磁極を近づける原理で磁気情報を記録する方式である。この方式によれば、記録磁界が記録膜に対してほぼ垂直な方向を向く。垂直な磁界で記録された情報は、記録膜面内においてＮ極とＳ極とがループを作り難いため、エネルギー的に安定を保ち易い。そのため、この垂直記録方式は、面内記録方式に対して熱減磁に強くなっている。
【０００４】
しかしながら、近年の記録媒体は、より大量且つ高密度情報の記録再生を行いたい等のニーズを受けて、さらなる高密度化が求められている。そのため、隣り合う磁区同士の影響や、熱揺らぎを最小限に抑えるために、保磁力の強いものが記録媒体として採用され始めている。そのため、上述した垂直記録方式であっても、記録媒体に情報を記録することが困難になっていた。
【０００５】
そこで、この不具合を解消するために、光を集光したスポット光、若しくは、近接場光を利用して磁区を局所的に加熱して一時的に保磁力を低下させ、その間に書き込みを行うハイブリッド磁気記録方式が提供されている。特に、近接場光を利用する場合には、従来の光学系において限界とされていた光の波長以下となる領域における光学情報を扱うことが可能となる。よって、従来の光情報記録再生装置等を超える記録ビットの高密度化を図ることができる。
【０００６】
上述したハイブリッド磁気記録方式による記録ヘッドとしては、各種のものが提供されているが、その１つとして、近接場光を利用して加熱を行う近接場光ヘッドが知られている（例えば、特許文献１及び２参照）。
【０００７】
この近接場光ヘッドは、主に主磁極と、補助磁極と、螺旋状の導体パターンが絶縁体の内部に形成されたコイル巻線と、照射されたレーザ光から近接場光を発生させる金属散乱体と、金属散乱体に向けてレーザ光を照射する平面レーザ光源と、照射されたレーザ光を集束させるレンズとを備えている。これら各構成品は、ビームの先端に固定されたスライダの側面に取り付けられている。
【０００８】
主磁極は、一端側が記録媒体に対向した面となっており、他端側が補助磁極に接続されている。つまり、主磁極及び補助磁極は、１本の磁極（単磁極）を垂直方向に配置した単磁極型垂直ヘッドを構成している。また、コイル巻線は、磁極と補助磁極との間を一部が通過するように補助磁極に固定されている。これら磁極、補助磁極及びコイル巻線は、全体として電磁石を構成している。
【０００９】
主磁極の先端には、金等からなる上記金属散乱体が取り付けられている。また、金属散乱体から離間した位置に上記平面レーザ光源が配置されると共に、該平面レーザ光源と金属散乱体との間に上記レンズが配置されている。
上述した各構成品は、スライダの側面側から、補助磁極、コイル巻線、主磁極、金属散乱体、レンズ、平面レーザ光源の順に取り付けられている。
【００１０】
このように構成された近接場光ヘッドを利用する場合には、近接場光を発生させると同時に記録磁界を印加することで、記録媒体に各種の情報を記録している。
【００１１】
即ち、平面レーザ光源からレーザ光を照射させる。このレーザ光は、レンズによって集光され、金属散乱体に照射される。すると金属散乱体は、内部の自由電子がレーザ光の電場によって一様に振動させられるのでプラズモンが励起されて先端部分に近接場光を発生させる。その結果、記録媒体の磁気記録層は、近接場光によって局所的に加熱され、一時的に保磁力が低下する。
【００１２】
また、上記レーザ光の照射と同時に、コイル巻線の導体パターンに駆動電流を供給することで、主磁極に近接する記録媒体の磁気記録層に対して記録磁界を局所的に印加する。これにより、保磁力が一時的に低下した磁気記録層に各種の情報を記録することができる。つまり、近接場光と磁場との協働により、記録媒体への記録を行うことができる。
【特許文献１】特開２００４−１５８０６７号公報
【特許文献２】特開２００５−４９０１号公報
【発明の開示】
【発明が解決しようとする課題】
【００１３】
しかしながら、上述した従来の近接場光ヘッドには、まだ以下の課題が残されていた。即ち、情報の記録に不可欠な近接場光を発生させる際に、平面レーザ光源からレンズを介して金属散乱体にレーザ光を集光させながら照射させている。ところが、主磁極の先端
に金属散乱体が取り付けられているので、平面レーザ光源からレーザ光の光軸を斜めにして照射せざるを得なかった。よって、レンズ位置をうまく位置調整したとしても、レーザ光を金属散乱体に効率良く集光させることが難しいものであった。特に、記録媒体への干渉を考慮しながらレンズを配置する必要があるので半円形状のレンズを使用しているが、このことも集光効率の低下を招く要因であった。
【００１４】
その結果、効率良く近接場光を発生させることができず、情報の書き込みを行うことができない場合があった。
【００１５】
また、レンズを金属散乱体から離間した位置に配置する必要があるので、ヘッドのサイズが大きくなってしまい、コンパクトに構成することができなかった。しかも、レンズ位置と金属散乱体の位置とを考慮しながら平面レーザ光源を配置する必要があるので、容易に設置することができるものではなかった。
【００１６】
本発明は、このような事情に考慮してなされたもので、その目的は、光束を効率良く集光させて書き込みの信頼性を向上することができると共に、コンパクトでしかも薄型化を図ることができる記録ヘッド、及び該記録ヘッドを有する情報記録再生装置を提供することである。
【課題を解決するための手段】
【００１７】
上記課題を解決するために、本発明の第１の特徴は、光束を集光して生成したスポット光により一定方向に回転する磁気記録媒体を加熱すると共に、磁気記録媒体に対して垂直方向の記録磁界を与えることで磁化反転を生じさせ、情報を記録させる記録ヘッドであって、前記磁気記録媒体の表面に対向配置され、該記録媒体と対向する対向面と、該対向面と接する複数の側面を有し、該複数の側面の内一つの面である先端面を有するスライダと、前記記録磁界を発生させる主磁極、補助磁極及び磁気コイルを有する記録素子と、一端側から導入された前記光束を導入方向とは異なる方向で他端側に反射させる反射面と、前記一端側から前記他端側に向かう方向に直交する断面積が漸次減少するように絞り成形され、反射された前記光束を集光させながら他端側に向けて伝播させて前記スポット光を生成すると共に、該スポット光を他端側から外部に向けて発する光束集光部とを有するコアと、該コアよりも屈折率が低い材料で形成され、コアの他端側を外部に露出させた状態でコアの側面に密着してコアを内部に閉じ込めるクラッドとを有し、前記他端側を前記磁気記録媒体側に向けた状態で前記記録素子に隣接して固定され、前記スライダの先端部に固定されたスポット光生成素子と、前記スライダに対して平行に配置された状態で該スライダに固定され、前記一端側から前記コア内に前記光束を導入させる光束導入手段とを備え、前記スポット光生成素子の前記一端側から前記他端側を結ぶ線が、前記スライダの対向面に対して斜めであることを要旨とする。
【００１８】
本発明の第２の特徴は、前記コアの断面と前記対向面との成す角度が漸次変化することを要旨とする。
【００１９】
本発明の第３の特徴は、前記光束集光部が前記主磁極の近傍に配置されることを要旨とする。
【００２０】
本発明の第４の特徴は、前記記録素子が前記先端面上に形成されることを要旨とする。
【００２１】
本発明の第５の特徴は、前記記録素子が前記クラッドに埋め込まれる、あるいは前記クラッドの外側面上に形成されることを要旨とする。
【００２２】
本発明の第６の特徴は、前記記録素子が前記スライダの前記対向面と接する前記先端面以外の側面に形成されていることを要旨とする。
【００２３】
本発明の第７の特徴は、前記主磁極は前記スポット光生成素子の近傍に形成されていて、前記補助磁極及び磁気コイルが前記スライダの前記対向面上に形成されていることを要旨とする。
【００２４】
本発明の第８の特徴は、前記スポット光生成素子あるいは前記記録素子の近傍に配置され、前記スライダが前記磁気記録媒体から漏れ出た磁界の大きさに応じた電気信号を出力する再生素子を備えることを要旨とする。
【００２５】
本発明の第９の特徴は、上記各特徴のいずれかの記録ヘッドと、前記磁気記録媒体の表面に平行な方向に移動可能とされ、該磁気記録媒体の表面に平行で且つ互いに直交する２軸回りに回動自在な状態で、前記記録ヘッドを先端側で支持するビームと、前記光束導入手段に対して前記光束を入射させる光源と、前記ビームの基端側を支持すると共に、該ビームを前記磁気記録媒体の表面に平行な方向に向けて移動させるアクチュエータと、前記磁気記録媒体を前記一定方向に回転させる回転駆動部と、前記記録素子及び前記光源の作動を制御する制御部とを備えていることを要旨とする。
【発明の効果】
【００２６】
本発明に係る記録ヘッドによれば、光束を効率良く集光させてスポット光を生成することができ、書き込みの信頼性を向上することができる。また、コンパクト化及び薄型化を図ることができる。
また、本発明に係る情報記録再生装置によれば、上述した記録ヘッドを備えているので、書き込みの信頼性が高く、高密度記録化に対応することができ、高品質化を図ることができる。また、同時にコンパクト化及び薄型化を図ることができる。
【発明を実施するための最良の形態】
【００２７】
（第１実施形態）
以下、本発明に係る記録ヘッド及び情報記録再生装置の第１実施形態を、図１から図７を参照して説明する。なお、本実施形態の情報記録再生装置１は、垂直記録層ｄ２を有するディスク（磁気記録媒体）Ｄに対して、垂直記録方式で書き込みを行う装置である。また、本実施形態では、ディスクＤが回転する空気の流れを利用して記録ヘッド２を浮かせた空気浮上タイプを例に挙げて説明する。
【００２８】
本実施形態の情報記録再生装置１は、図１に示すように、後述するスポットサイズ変換器（スポット光生成素子）２２を有する記録ヘッド２と、ディスク面（磁気記録媒体の表面）Ｄ１に平行なＸＹ方向に移動可能とされ、ディスク面Ｄ１に平行で且つ互いに直交する２軸（Ｘ軸、Ｙ軸）回りに回動自在な状態で記録ヘッド２を先端側で支持するビーム３と、光導波路（光束導入手段）４の基端側から該光導波路４に対して光束Ｌを入射させる光信号コントローラ（光源）５と、ビーム３の基端側を支持すると共に、該ビーム３をディスク面Ｄ１に平行なＸＹ方向に向けてスキャン移動させるアクチュエータ６と、ディスクＤを一定方向に回転させるスピンドルモータ（回転駆動部）７と、後述する記録素子２１及び光信号コントローラ５の作動を制御する制御部８と、これら各構成品を内部に収容するハウジング９とを備えている。
【００２９】
ハウジング９は、アルミニウム等の金属材料により、上面視四角形状に形成されていると共に、内側に各構成品を収容する凹部９ａが形成されている。また、このハウジング９には、凹部９ａの開口を塞ぐように図示しない蓋が着脱可能に固定されるようになっている。
【００３０】
凹部９ａの略中心には、上記スピンドルモータ７が取り付けられており、該スピンドルモータ７に中心孔を嵌め込むことでディスクＤが着脱自在に固定される。凹部９ａの隅角部には、上記アクチュエータ６が取り付けられている。このアクチュエータ６には、軸受１０を介してキャリッジ１１が取り付けられており、該キャリッジ１１の先端にビーム３が取り付けられている。そして、キャリッジ１１及びビーム３は、アクチュエータ６の駆動によって共に上記ＸＹ方向に移動可能とされている。
【００３１】
なお、キャリッジ１１及びビーム３は、ディスクＤの回転停止時にアクチュエータ６の駆動によって、ディスクＤ上から退避するようになっている。また、記録ヘッド２とビーム３とで、サスペンション１２を構成している。また、光信号コントローラ５は、アクチュエータ６に隣接するように凹部９ａ内に取り付けられている。そして、このアクチュエータ６に隣接して、上記制御部８が取り付けられている。
【００３２】
上記記録ヘッド２は、光束Ｌを集光して生成したスポット光Ｒにより回転するディスクＤを加熱すると共に、ディスクＤに対して垂直方向の記録磁界を与えることで磁化反転を生じさせ、情報を記録させるものである。
【００３３】
この記録ヘッド２は、図２及び図３に示すように、ディスク面Ｄ１から所定距離Ｈだけ浮上した状態でディスクＤに対向配置され、ディスク面Ｄ１に対向する対向面２０ａを有するスライダ２０と、該スライダ２０の流出端側の側面（以降、先端面と表現する）に固定された記録素子２１と、該記録素子２１に隣接して固定されたスポットサイズ変換器２２と、該スポットサイズ変換器２２の後述するコア４０内に光信号コントローラ５からの光束Ｌを導入する光導波路４とを備えている。また、本実施形態の記録ヘッド２は、スポットサイズ変換器２２に隣接して固定された再生素子２３を備えている。
【００３４】
上記スライダ２０は、石英ガラス等の光透過性材料や、ＡｌＴｉＣ（アルチック）等のセラミック等によって形成された直方体状の一端面（流出端側の側面）を斜めに切り落とした形状となっている。このスライダ２０は、対向面２０ａをディスクＤ側にした状態で、ジンバル部２４を介してビーム３の先端にぶら下がるように支持されている。このジンバル部２４は、Ｘ軸回り及びＹ軸回りにのみ変位するように動きが規制された部品である。これによりスライダ２０は、上述したようにディスク面Ｄ１に平行で且つ互いに直交する２軸（Ｘ軸、Ｙ軸）回りに回動自在とされている。
【００３５】
スライダ２０の対向面２０ａには、回転するディスクＤによって生じた空気流の粘性から、浮上するための圧力を発生させる凸条部２０ｂが形成されている。本実施形態では、レール状に並ぶように、長手方向に沿って延びた凸条部２０ｂを２つ形成している場合を例にしている。但し、この場合に限定されるものではなく、スライダ２０をディスク面Ｄ１から離そうとする正圧とスライダ２０をディスク面Ｄ１に引き付けようとする負圧とを調整して、スライダ２０を最適な状態で浮上させるように設計されていれば、どのような凹凸形状でも構わない。なお、この凸条部２０ｂの表面はＡＢＳ（Ａｉｒ  Ｂｅａｒｉｎｇ  Ｓｕｒｆａｃｅ）と呼ばれる面とされている。
【００３６】
スライダ２０は、この２つの凸条部２０ｂによってディスク面Ｄ１から浮上する力を受けている。また、ビーム３は、ディスク面Ｄ１に垂直なＺ方向に撓むようになっており、スライダ２０の浮上力を吸収している。つまり、スライダ２０は、浮上した際にビーム３によってディスク面Ｄ１側に押さえ付けられる力を受けている。よってスライダ２０は、この両者の力のバランスによって、上述したようにディスク面Ｄ１から所定距離Ｈ離間した状態で浮上するようになっている。しかもスライダ２０は、ジンバル部２４によってＸ軸回り及びＹ軸回りに回動するようになっているので、常に姿勢が安定した状態で浮上するようになっている。
【００３７】
なお、ディスクＤの回転に伴って生じる空気流は、スライダ２０の流入端側（ビーム３の基端側）から流入した後、ＡＢＳに沿って流れ、スライダ２０の流出端側（ビームの先端側）から抜けている。
【００３８】
上記記録素子２１は、図４に示すように、スライダ２０の先端面に固定された補助磁極３０と、磁気回路３１を介して補助磁極３０に接続され、ディスクＤに対して垂直な記録磁界を補助磁極３０との間で発生させる主磁極３２と、磁気回路３１を中心として該磁気回路３１の周囲を螺旋状に巻回するコイル３３とを備えている。つまり、スライダ２０の流出端側から順に、補助磁極３０、磁気回路３１、コイル３３、主磁極３２が配置されている。
【００３９】
両磁極３０、３２及び磁気回路３１は、磁束密度が高い高飽和磁束密度（Ｂｓ）材料（例えば、ＣｏＮｉＦｅ合金、ＣｏＦｅ合金等）により形成されている。また、コイル３３は、ショートしないように、隣り合うコイル線間、磁気回路３１との間、両磁極３０、３２との間に隙間が空くように配置されており、この状態で絶縁体３４によってモールドされている。そして、コイル３３は、情報に応じて変調された電流が制御部８から供給されるようになっている。即ち、磁気回路３１及びコイル３３は、全体として電磁石を構成している。なお、主磁極３２及び補助磁極３０は、ディスクＤに対向する端面がスライダ２０のＡＢＳと面一となるように設計されている。
【００４０】
上記スポットサイズ変換器２２は、図４から図６に示すように、一端側がスライダ２０の上方側に向くと共に、他端側がディスクＤ側に向いた状態で、対向面２０ａに対し所定の角度を持って斜めに記録素子２１に隣接して固定されている。
【００４１】
即ち、図４に示すように、一端側の端面から他端側の端面を結んだ直線が対向面２０ａに対し、斜めに傾斜して主磁極３２に隣接して固定されているコア４０とクラッド４１からなるスポットサイズ変換器（スポット光生成素子）２２を備えている。
【００４２】
なお、図５は、後述するコア４０を図４に示す矢印Ａ方向から見た図である。また、図６は、図５に示すスポットサイズ変換器２２を端面４０ｃ側から見た図である。
【００４３】
このスポットサイズ変換器２２は、一端側に導入された光束Ｌを導入方向とは異なる方向で他端側に集光しながら伝播すると共に、スポット光Ｒに変換した後に外部に発する素子であって、多面体のコア４０と、該コア４０を内部に閉じ込めるクラッド４１とから構成されており、全体として略板状に形成されている。
【００４４】
上記コア４０は、反射面４０ａと光束集光部４０ｂとにより一体的に形成されている。反射面４０ａは、一端側から光導波路４によって導入された光束Ｌを導入方向とは異なる方向に反射させている。
【００４５】
また、光束集光部４０ｂは、一端側から他端側に向かう長手方向に直交する断面積が漸次減少するように絞り成形された部分であり、反射面４０ａによって反射された光束Ｌを集光させながら他端側に向けて伝播させている。つまり光束集光部４０ｂは、導入された光束Ｌのスポットサイズを小さいサイズに絞ることができるようになっている。
【００４６】
なお、本実施形態では、光束集光部４０ｂが３つの側面を有するように形成されており、そのうちの１つの側面が主磁極３２に対向するように配置されるようになっている。よって光束集光部４０ｂは、図６に示すように、他端側で外部に露出する端面４０ｃが三角形状に形成された面となっている。なお、端面４０ｃ上で確保できる最大直線長さＬ１が、約１μｍとなるサイズに設計されている。これにより、光束Ｌのスポットサイズを最大直線長さＬ１と同程度の大きさ、即ち、直径を約１μｍ程度に絞ることができ、このサイズのスポット光Ｒとして端面４０ｃから外部に発することができる。またこの端面４０ｃは、スライダ２０のＡＢＳと面一となるように設計されている。
【００４７】
また、本実施形態では光束集光部４０ｂが、図４に示すように、主磁極３２側に向けて漸次絞り成形されている。これにより、主磁極３２側に端面４０ｃが位置するようになっており、主磁極３２の近傍に上記サイズのスポット光Ｒを発生させることができるようになっている。なお、本発明でいう「近傍」とは、端面４０ｃから発生するスポット光Ｒの直径と同程度の距離、或いは、それ以下の距離だけ、主磁極３２から離間した範囲内の領域をいう。よって、本実施形態の場合は、主磁極３２と光束集光部４０ｂの端面４０ｃとの距離が、スポット光Ｒの直径（最大直線長さＬ１）と同程度である１μｍ、或いは、それ以下の距離になるように設計されている。
【００４８】
上記クラッド４１は、図４及び図５に示すように、コア４０よりも屈折率が低い材料で形成されており、コア４０の側面に密着して、コア４０を内部に閉じ込めている。よって、コア４０とクラッド４１との間に隙間が生じないようになっている。また、本実施形態のクラッド４１は、コア４０の一端側と同様に、他端側の端面４０ｃについても外部に露出させるように形成されている。
【００４９】
なお、クラッド４１及びコア４０として使用される材料の組み合わせの一例を記載すると、例えば、石英（ＳｉＯ２）でコア４０を形成し、フッ素をドープした石英でクラッド４１を形成する組み合わせが考えられる。この場合には、光束Ｌの波長が４００ｎｍのときに、コア４０の屈折率が１．４７となり、クラッド４１の屈折率が１．４７未満となるので好ましい組み合わせである。また、ゲルマニウムをドープした石英でコア４０を形成し、石英（ＳｉＯ２）でクラッド４１を形成する組み合わせも考えられる。この場合には、光束Ｌの波長が４００ｎｍのときに、コア４０の屈折率が１．４７より大きくなり、クラッド４１の屈折率が１．４７となるのでやはり好ましい組み合わせである。
【００５０】
特に、コア４０とクラッド４１との屈折率差が大きいほど、コア４０内に光束Ｌを閉じ込める力が大きくなるので、コア４０に酸化タンタル（Ｔａ２Ｏ５：波長が５５０ｎｍのときに屈折率が２．１６）を用い、クラッド４１に石英等を用いて、両者の屈折率差を大きくすることがより好ましい。また、赤外領域の光束Ｌを利用する場合には、赤外光に対して透明な材料であるシリコン（Ｓｉ：屈折率が約４）でコア４０を形成することも有効である。
【００５１】
上記光導波路４は、コア４ａとクラッド４ｂとからなる２軸の導波路であり、コア４ａ内を光束Ｌが伝播するようになっている。この光導波路４は、クラッド４１に形成された溝部４１ａ及びスライダ２０の上面に形成された図示しない溝部内に嵌った状態で固定されている。これにより、光導波路４は、スライダ２０に対して平行に配置された状態となっている。
【００５２】
また、光導波路４の先端は、スポットサイズ変換器２２の一端側に接続されており、光束Ｌをコア４０内に導入している。また、光導波路４の基端側は、ビーム３及びキャリッジ１１等を介して光信号コントローラ５に引き出された後、該光信号コントローラ５に接続されている。
なお、図５に示すように、光導波路４からコア４０内に導入された光束Ｌが反射面４０ａの略中心に入射するように、スポットサイズ変換器２２及び光導波路４の位置関係が調整されている。
【００５３】
また、上記再生素子２３は、ディスクＤの垂直記録層ｄ２から漏れ出ている磁界の大きさに応じて電気抵抗が変換する磁気抵抗効果膜である。この再生素子２３には、図示しないリード膜等を介して制御部８からバイアス電流が供給されている。これにより制御部８は、ディスクＤから漏れ出た磁界の変化を電圧の変化として検出することでき、この電圧の変化から信号の再生を行うことができるようになっている。
【００５４】
なお、本実施形態のディスクＤは、少なくとも、ディスク面Ｄ１に垂直な方向に磁化容易軸を有する垂直記録層ｄ２と、高透磁率材料からなる軟磁性層ｄ３との２層で構成される垂直２層膜ディスクを使用する。このようなディスクＤとしては、例えば、図２に示すように、基板ｄ１上に、軟磁性層ｄ３と、中間層ｄ４と、垂直記録層ｄ２と、保護層ｄ５と、潤滑層ｄ６とを順に成膜したものを使用する。
【００５５】
基板ｄ１としては、例えば、アルミ基板やガラス基板等である。軟磁性層ｄ３は、高透磁率層である。中間層ｄ４は、垂直記録層ｄ２の結晶制御層である。垂直記録層ｄ２は、垂直異方性磁性層となっており、例えばＣｏＣｒＰｔ系合金が使用される。保護層ｄ５は、垂直記録層ｄ２を保護するためのもので、例えばＤＬＣ（ダイヤモンド・ライク・カーボン）膜が使用される。潤滑層ｄ６は、例えば、フッ素系の液体潤滑材が使用される。
【００５６】
次に、このように構成された情報記録再生装置１により、ディスクＤに各種の情報を記
録再生する場合について以下に説明する。
【００５７】
まず、スピンドルモータ７を駆動させてディスクＤを一定方向に回転させる。次いで、アクチュエータ６を作動させて、キャリッジ１１を介してビーム３をＸＹ方向にスキャンさせる。これにより、図１に示すように、ディスクＤ上の所望する位置に記録ヘッド２を位置させることができる。この際、記録ヘッド２は、スライダ２０の対向面２０ａに形成された２つの凸条部２０ｂによって浮上する力を受けると共に、ビーム３等によってディスクＤ側に所定の力で押さえ付けられる。記録ヘッド２は、この両者の力のバランスによって、図２に示すようにディスクＤ上から所定距離Ｈ離間した位置に浮上する。
【００５８】
また、記録ヘッド２は、ディスクＤのうねりに起因して発生する風圧を受けたとしても、ビーム３によってＺ方向の変位が吸収されると共に、ジンバル部２４によってＸＹ軸回りに変位することができるようになっているので、うねりに起因する風圧を吸収することができる。そのため、記録ヘッド２を安定した状態で浮上させることができる。
【００５９】
ここで、情報の記録を行う場合、制御部８は光信号コントローラ５を作動させると共に、情報に応じて変調した電流をコイル３３に供給して記録素子２１を作動させる。
【００６０】
まず、光信号コントローラ５は、制御部８からの指示を受けて光束Ｌを光導波路４の基端側から入射させる。入射した光束Ｌは、光導波路４のコア４ａ内を先端側に向かって進み、図４に示すように、スポットサイズ変換器２２の一端側からコア４０内に導入される。
【００６１】
この際光束Ｌは、スライダ２０に対して平行な方向でコア４０内に導入される。すると、導入された光束Ｌは、反射面４０ａで反射される。即ち、導入方向とは異なる方向に向きが変化する。そして、向きが変わった光束Ｌは、ディスクＤ側に位置する他端側に向かう。そして、光束Ｌは、他端側に向かって光束集光部４０ｂを伝播する。
【００６２】
この際、光束集光部４０ｂは、一端側から他端側に向かう長手方向に直交する断面積が漸次減少するように絞り成形されている。そのため、光束Ｌはこの光束集光部４０ｂを通過する際に、側面で反射を繰り返しながら徐々に集光されてコア４０の内部を伝播していく。特に、コア４０の側面にはクラッド４１が密着しているので、コア４０の外部に光が漏れることはない。よって、導入された光束Ｌを無駄にすることなく絞りながら他端側に伝播させることができる。
【００６３】
そのため光束Ｌは、光束集光部４０ｂの他端側に達した時点で絞り込まれてスポットサイズが小さくなる。つまり光束集光部４０ｂは、導入された光束Ｌのスポットサイズを、直径が約１μｍ程度の小さいサイズに絞り込むことができる。これにより、スポット光Ｒを生成することができ、他端側の端面４０ｃから外部に発することができる。
【００６４】
すると、ディスクＤは、このスポット光Ｒによって局所的に加熱されて一時的に保磁力が低下する。特に、光束集光部４０ｂは、このスポット光Ｒを主磁極３２の近傍、即ち、主磁極３２からスポット光Ｒの直径と同程度の距離だけ離間した範囲内に発生させるので、主磁極３２にできるだけ近い位置でディスクＤの保磁力を低下させることができる。
【００６５】
一方、制御部８によってコイル３３に電流が供給されると、電磁石の原理により電流磁界が磁気回路３１内に磁界を発生させるので、主磁極３２と補助磁極３０との間にディスクＤに対して垂直方向の記録磁界を発生させることができる。すると、主磁極３２側から発生した磁束が、図４に示すように、ディスクＤの垂直記録層ｄ２を真直ぐ通り抜けて軟磁性層ｄ３に達する。これによって、垂直記録層ｄ２の磁化をディスク面Ｄ１に対して垂直に向けた状態で記録を行うことができる。また、軟磁性層ｄ３に達した磁束は、該軟磁性層ｄ３を経由して補助磁極３０に戻る。この際、補助磁極３０に戻るときには磁化の方向に影響を与えることはない。これは、ディスク面Ｄ１に対向する補助磁極３０の面積が、主磁極３２よりも大きいので磁束密度が大きく磁化を反転させるほどの力が生じないためである。つまり、主磁極３２側でのみ記録を行うことができる。
【００６６】
その結果、スポット光Ｒと両磁極３０、３２で発生した記録磁界とを協働させたハイブリッド磁気記録方式により情報の記録を行うことができる。しかも垂直記録方式で記録を行うので、熱揺らぎ現象等の影響を受け難く、安定した記録を行うことができる。よって、書き込みの信頼性を高めることができる。
【００６７】
特に、主磁極３２の近傍でディスクＤの保磁力を低下させることができるので、記録磁界が局所的に作用する位置に加熱温度のピーク位置を入れることができる。従って、確実に記録を行うことができ、信頼性の向上化を図ることができると共に高密度記録化を図ることができる。
【００６８】
次に、ディスクＤに記録された情報を再生する場合には、スポットサイズ変換器２２に隣接して固定されている再生素子２３が、ディスクＤの垂直記録層ｄ２から漏れ出ている磁界を受けて、その大きさに応じて電気抵抗が変化する。よって、再生素子２３の電圧が変化する。これにより制御部８は、ディスクＤから漏れ出た磁界の変化を電圧の変化として検出することができる。そして制御部８は、この電圧の変化から信号の再生を行うことで、情報の再生を行うことができる。
【００６９】
特に、本実施形態のスポットサイズ変換器２２によれば、位置調整が困難であったレンズが不要である。従って、光束Ｌを効率良く集光してスポット光Ｒを生成することができ、ディスクＤを効率良く加熱することができる。よって、書き込みの信頼性を向上することができる。
【００７０】
加えて、コア４０を対向面２０ａに対し所定の角度を持って斜めに形成しているので、スライダ２０の高さよりも全長（以下、コア長と称する）を長くすることができる。そのため、断面積の漸減率を小さくすることができる。一般的に、コア４０の断面積を急激に小さくした場合には、コア４０から漏れる光束Ｌ（漏れ光）の割合が大きくなってしまい、光伝播効率が低下してしまう。しかしながら、本実施形態のコア４０によれば、上述したように断面積の漸減率を小さくすることができるので、従来の構造に比べて光束Ｌの光伝播率を向上させることができる。よって、より光強度の強いスポット光Ｒを生成することができ、さらなる高密度記録化を図ることができる。
また、図７の記録ヘッド２は、光導波路４の先端が光束Ｌの反射面４ｃとなり、スポットサイズ変換器２２の一端側に接続されている構造の一例を示す。図７の記録ヘッド２の構造の特徴は、図４の構造の効果に加え、コア４０に反射面が形成されないので、より容易にコア４０を製造することができる。
【００７１】
また、本実施形態では、コア４０の一端側及び他端側を外部に露出させた状態でクラッド４１が形成されているので、該クラッド４１を介さずに直接コア４０に光束Ｌを導入することができると共に、スポット光Ｒを外部に発することができる。そのため、さらに効率良くスポット光Ｒを生成でき、ディスクＤを加熱することができる。
【００７２】
また、光導波路４を利用して光束Ｌを導入する上、コア４０内を伝播させているので、従来のように光束Ｌを空中伝播させることがない。よって、導光損失を極力低下させることができる。また、コア４０及びクラッド４１でスポットサイズ変換器２２を構成できるので、構成の容易化を図ることができる。
【００７３】
更には、スライダ２０の先端面に、記録素子２１、スポットサイズ変換器２２を順に配置しているので、光導波路４以外の各構成品がスライダ２０の厚み方向に重なることを防止している。従って、記録ヘッド２をコンパクトで薄型に設計することができる。      
【００７４】
しかも、光導波路４を利用して確実に光束Ｌを導入できるので、光束Ｌを発生させる光源を容易に配置することができる。つまり、図１に示すように、光信号コントローラ５を設置し易いハウジング９内に配置することができる。
【００７５】
また、本実施形態の記録ヘッド２を製造する場合には、フォトリソグラフィ技術及びエッチング加工技術等の半導体技術を利用して製造を行うことができる。つまり、スポットサイズ変換器２２を有している場合であっても、特別な手法を用いずに、従来の製造プロセスの流れの中でスポットサイズ変換器２２も同時に作りこむことができる。
【００７６】
具体的に説明すると、スライダ２０を所定の外形形状に加工した後、該スライダ２０の先端面に上記半導体技術を利用して記録素子２１を作りこむ。次いで、この記録素子２１上に同様に半導体技術を利用して、スポットサイズ変換器２２を作りこむ。そして最後に、スポットサイズ変換器２２上に再生素子２３を作りこむ。このように、スライダ２０側から順々に各構成品を作りこむ途中で、スポットサイズ変換器２２の製造工程を一工程追加するだけで、容易に記録ヘッド２を製造することができる。
【００７７】
なお、スポットサイズ変換器２２を製造する際には、まず、主磁極３２上にクラッド４１を成膜する。この際、後に光導波路４を一端側に接続させるために、クラッド４１に溝部４１ａが形成されるようにパターニングする。次いで、このクラッド４１上にコア４０を凸状に成膜した後、適宜エッチングを行って反射面４０ａ及び光束集光部４０ｂをそれぞれ形成する。次いで、コア４０を内部に閉じ込めるように再度クラッド４１を成膜する。
【００７８】
そして、最後にクラッド４１の外形形状が所定の形になるように加工する。この際、スポットサイズ変換器２２の他端側をダイシング等で切断加工することで、端面４０ｃを形成することができる。このように半導体技術を利用して、容易にスポットサイズ変換器２２を製造することができる。
【００７９】
また、先に、石英ガラス等の光透過性材料や、ＡｌＴｉＣ（アルチック）等のセラミック材料等からなる基板の上に上記半導体技術を利用して記録素子２１とスポットサイズ変換器２２と再生素子２３の順に積層しながら作りこんだ後、基板を切断して、スライダ２０の所定の外形形状に加工することも可能である。
【００８０】
また、本実施形態の情報記録再生装置１によれば、上述した記録ヘッド２を備えているので、書き込みの信頼性が高く、高密度記録化に対応することができ、高品質化を図ることができる。また、同時に薄型化を図ることができる。
（第２実施形態）
次に、本発明に係る記録ヘッドの第２実施形態を、図８を参照して説明する。なお、この第２実施形態においては、第１実施形態における構成要素と同一の部分については、同一の符号を付しその説明を省略する。
【００８１】
第２実施形態と第１実施形態との異なる点は、第１実施形態では、スポットサイズ変換器２２のコア４０がスライダ２０の対向面２０ａに対して所定の角度を持って斜めに形成され、その長手方向の形状が一直線であるが、第２実施形態の記録ヘッド１００は、コア４０の長手方向の形状が曲がっている、いわゆる湾曲コア形状を有する。
【００８２】
そのため、第１実施形態のスポットサイズ変換器２２のコア４０より、そのコア長を更に長くすることができ、断面積の漸減率を更に小さくすることができるので、第１実施形態に比べて光束Ｌの光伝播率を更に向上させることができる。よって、より光強度の強いスポット光Ｒを生成することができ、さらなる高密度記録化を図ることができる。
【００８３】
また、本実施形態の記録ヘッド１００を製造する場合は、第１実施形態での記録ヘッド２の製造方法とほぼ同一方法を有するが、直方体のスライダ２０の一端面を湾曲になるように加工した後、その湾曲面２０ｄ上に、上記の半導体技術を利用して記録素子２１とスポットサイズ変換器２２と再生素子２３の順に積層しながら作り込む。
【００８４】
また、本実施形態の情報記録再生装置１によれば、上述した記録ヘッド１００を備えているので、書き込みの信頼性が高く、高密度記録化に対応することができ、高品質化を図ることができる。また、同時に薄型化を図ることができる。
（第３実施形態）
次に、本発明に係る記録ヘッドの第３実施形態を、図９と図１０を参照して説明する。なお、この第３実施形態においては、第１、第２実施形態における構成要素と同一の部分については、同一の符号を付しその説明を省略する。
【００８５】
第３実施形態と第１、第２実施形態との異なる点は、第３実施形態では、記録素子２１がクラッド４２の側壁４２ａに固定されている点である。即ち、記録ヘッド２と１００では、記録素子２１をスライダ２０の傾斜面２１ｃあるいは湾曲面２１ｄ上に形成するが、本実施形態の記録ヘッド２００と３００の記録ヘッド２１はクラッド４２の側壁４２ａに固定されている。
【００８６】
本実施形態の記録ヘッド２００と３００は、第１、第２実施形態のスポットサイズ変換器２２が有する効果とほぼ同一効果を持つと共に、その製造が容易になる。
【００８７】
図９の記録ヘッド２００では、記録ヘッド２あるいは１００の傾斜面２１ｃあるいは湾曲面２１ｄのような一端面を有するスライダ２０を加工した後、その次の工程として、第１、第２実施形態にて述べた半導体加工技術を用い、スポットサイズ変換器２２２のクラッド４３とコア４０とクラッド４２順に積層加工する。その後、クラッド４２の側壁４２ａを研磨し、その上に、従来の記録素子の加工技術をそのまま用いて記録素子２１を形成することができる。
【００８８】
最後に、再生素子２３を記録素子２１上に作り込む。
【００８９】
更に、図１０の記録ヘッド３００では、スライダ２０の側壁２０ｅを、第１、第２実施形態の記録ヘッド２あるいは１００のスライダ２０の傾斜面２１ｃあるいは湾曲面２１ｄのように加工する必要がなく、平面に加工すれば良いので、スライダ２０の製造工程が容易になる。また、平面状の側壁２０ｅ上にクラッド４３を加工すれば良いので、スポットサイズ変換器２２３の製造が容易になる。記録素子２１の加工は、図９の記録ヘッド２００での方法と同様に、クラッド４２の側壁４２ａを平面研磨し、その上に、従来の記録素子の加工技術をそのまま用いて記録素子２１を形成した後、再生素子２３をその上に作り込む。
【００９０】
また、本実施形態の情報記録再生装置１によれば、上述した記録ヘッド２００と３００を備えているので、書き込みの信頼性が高く、高密度記録化に対応することができ、高品質化を図ることができる。また、同時に薄型化を図ることができる。
（第４実施形態）
次に、本発明に係る記録ヘッドの第４実施形態を、図１１を参照して説明する。なお、この第４実施形態においては、第１から第３実施形態における構成要素と同一の部分については、同一の符号を付しその説明を省略する。
【００９１】
第４実施形態と第１から第３実施形態との異なる点は、第４実施形態では、記録素子２１がスライダ２０の対向面２０ａ上に形成されていることである。本実施形態の記録素子２１の基本的な構成は、第１から第３実施形態における記録素子の構成と同様であるが、主磁極３２の一部がクラッド４３上にも形成され、コア４０の他端側の端面４０ｃと近接し、外部に露出している。また、補助磁極３０の一部も外部に露出するように曲がって形成されている。再生素子２３はクラッド４２上に形成される。
【００９２】
また、図８の記録ヘッド１００の記録素子２１を、湾曲面２０ｄ上ではなく、対向面２０ａ上に形成する構成も可能である。
【００９３】
本実施形態の記録ヘッド４００は、第１から第３実施形態の記録ヘッド１、１００、２００、３００のスポットサイズ変換器２２、１２２、２２２、３２２が有する効果とほぼ同一効果を持つと共に、記録素子２１を対向面２０ａ上に形成することで、記録ヘッドを更に小型化することができる。それにより、信頼性の高いコンパクトな記録ヘッドを製造することができ、更なる低浮上を実現することができる。
【００９４】
記録ヘッド４００の製造方法は、記録ヘッド２あるいは１００が傾斜面２１ｃあるいは湾曲面２１ｄのような一端面を有するようにスライダ２０を加工した後、その次の工程として、第１、第２実施形態にて述べた加工技術を用い、スポットサイズ変換器２２２であるクラッド４３とコア４０とクラッド４２順に加工する。その後、クラッド４２の側壁４２ａを平面研磨し、その上に、従来の記録素子の加工技術をそのまま用いて記録素子２１を形成することができる。最後に、再生素子２３を記録素子２１上に加工すれば良い。
【００９５】
更に、図１０の記録ヘッド３００では、スライダ２０の側壁２０ｅを、第１、第２実施形態の記録ヘッド２と１００のスライダ２０の傾斜面２１ｃあるいは湾曲面２１ｄのように加工する必要がなく、平面に加工すれば良いので、スライダ２０の製造工程が容易になる。また、平面状の側壁２０ｅ上にクラッド４３を加工すれば良いので、スポットサイズ変換器２２３の製造が容易になる。記録素子２１の加工は、図９の記録ヘッド２００での方法と同様に、クラッド４２の側壁４２ａを平面研磨し、その上に、従来の記録素子の加工技術をそのまま用いて記録素子２１を形成した後、再生素子２３をその上に形成する。
【００９６】
また、本実施形態の情報記録再生装置１によれば、上述した記録ヘッド４００を備えているので、書き込みの信頼性が高く、高密度記録化に対応することができ、高品質化を図ることができる。また、同時に薄型化を図ることができる。
（第５実施形態）
次に、本発明に係る記録ヘッドの第５実施形態を、図１２と図１３を参照して説明する。図１３は、図１２に示す矢印Ａ方向、即ち、スライダ２０の流出端側からコア４０を見た図である。
【００９７】
なお、この第５実施形態においては、第１から第４実施形態における構成要素と同一の部分については、同一の符号を付しその説明を省略する。
【００９８】
第５実施形態と第１から第３実施形態あるいは第４実施形態との異なる点は、スポットサイズ変換器５２２のコア４０の配置が、第１実施形態のように対向面２０ａに対し所定の角度を持って斜めに形成されていると共に、スライダ２０の側面２０ｆを向かって傾斜するように斜めに形成されている点である。
【００９９】
即ち、本実施形態の記録ヘッド５００は、図１２及び図１３に示すように、スライダ２０の流出端側から見たときに、一端側から他端側に向かって斜めに傾斜しているコア４０からなるスポットサイズ変換器（スポット光生成素子）５２２を備えている。
【０１００】
また、本実施形態の記録素子２１は、図１３に示すように、スライダ２０の対向面２０ａと接する側面２０ｆ上と、側面２０ｆと近接するクラッド４１上に形成される。主磁極３２は、コア４０の他端側の端面４０ｃと近接し、外部に露出している。また、記録素子２１の主磁極３２がコア４０の他端側の端面４０ｃと近接する構成であれば、傾斜面２１ｃ上、対向面２０ａ上、または、クラッド４２上に形成されても良い。また、傾斜面２１ｃは図８の湾曲面２０ｄのように形成されても良い。
【０１０１】
また、図１３には再生素子２３が補助磁極３０の上に絶縁されて形成されている構造を示すが、再生素子２３がクラッド４１の先端面４１ａ上に形成されても良い。
【０１０２】
本実施形態の記録ヘッド５００は、第１から第４実施形態の記録ヘッド１、１００、２００、３００、４００のスポットサイズ変換器２２、１２２、２２２、３２２が有する効果とほぼ同一効果を持つと共に、コア４０がスライダ２０の側面２０ｆを向かって傾斜するように斜めに形成されているので、スライダ２０の高さよりも全長を更に長くすることができ、断面積の漸減率を更に小さくすることができる。そのため、従来の構造に比べて光束Ｌの光伝播率を向上させることができる。よって、より光強度の強いスポット光Ｒを生成することができ、さらなる高密度記録化を図ることができる。
【０１０３】
また、本実施形態の記録ヘッド１００を製造する場合は、第１実施形態での記録ヘッド２のスライダ２０のように直方体のスライダ２０の一端面を傾斜面２１ｃあるいは図８の湾曲面２１ｄ形状になるように加工した後、その面上に上記の半導体加工技術を利用してクラッド４１とコア４０からなるスポットサイズ変換器２２を作り込む。その後、記録素子２１と再生素子２３をスライダ２０の側面２０ｆとクラッド４１上に上記の半導体加工技術を利用して形成する。
【０１０４】
また、本実施形態の情報記録再生装置１によれば、上述した記録ヘッド２を備えているので、書き込みの信頼性が高く、高密度記録化に対応することができ、高品質化を図ることができる。また、同時に薄型化を図ることができる。
【図面の簡単な説明】
【０１０５】
【図１】本発明に係る近接場光ヘッドを有する情報記録再生装置の第１実施形態を示す構成図である。
【図２】図１に示す近接場光ヘッドの拡大断面図である。
【図３】図２に示す近接場光ヘッドを、ディスク面側から見た図である。
【図４】図２に示す記録ヘッドの先端面を拡大した断面図であり、素子の構成を示すと共に、スポット光と磁界との関係を示した図である。
【図５】図４に示すスポット光生成素子のコアを矢印Ａ方向から見た図である。
【図６】図４に示すスポット光生成素子を端面側から見た図である。
【図７】図２に示す記録ヘッドの第2構造の先端面を拡大した断面図であり、素子の構成を示すと共に、スポット光と磁界との関係を示した図である。
【図８】本発明に係る記録ヘッドの第２実施形態を示す図であって、素子の構成を示すと共に、スポット光と磁界との関係を示した図である。
【図９】本発明に係る記録ヘッドの第３実施形態を示す図であって、素子の構成を示すと共に、スポット光と磁界との関係を示した図である。
【図１０】本発明に係る記録ヘッドの第３実施形態の第２構造を示す図であって、素子の構成を示すと共に、スポット光と磁界との関係を示した図である。
【図１１】本発明に係る記録ヘッドの第４実施形態を示す図であって、素子の構成を示すと共に、スポット光と磁界との関係を示した図である。
【図１２】本発明に係る記録ヘッドの第５実施形態を示す図である。
【図１３】図４に示すスポット光生成素子のコアを矢印Ａ方向から見た図であって、素子の構成を示すと共に、スポット光と磁界との関係を示した図である。
【符号の説明】
【０１０６】
Ｄ ディスク（磁気記録媒体）
Ｄ１ ディスク面（磁気記録媒体の表面）
Ｌ 光束
Ｒ スポット光
１ 情報記録再生装置
２、１００、２００、３００、４００、５００ 記録ヘッド
３ ビーム
４ 光導波路（光束導入手段）
５ 光信号コントローラ（光源）
６ アクチュエータ
７ スピンドルモータ（回転駆動部）
８ 制御部
２０ スライダ
２１ 記録素子
２２、１２２、２２２、３２２、４２２、５２２ スポットサイズ変換器（スポット光生成素子）
３０ 補助磁極
３１ コイル
３２ 磁気回路
３３ コイル
４０ コア
４０ａ 反射面
４０ｂ 光束集光部
４１、４２、４３ クラッド
【図１】
2009140538.tif 000003
【図２】
2009140538.tif 000004
【図３】
2009140538.tif 000005
【図４】
2009140538.tif 000006
【図５】
2009140538.tif 000007
【図６】
2009140538.tif 000008
【図７】
2009140538.tif 000009
【図８】
2009140538.tif 000010
【図９】
2009140538.tif 000011
【図１０】
2009140538.tif 000012
【図１１】
2009140538.tif 000013
【図１２】
2009140538.tif 000014
【図１３】
2009140538.tif 000015